(57)【要約】    【課題】映像の撮像機能、通話機能及び警報の発報機能が備えられている玄関子機及び居室親機の間の接続を、５線の伝送路又は３線の伝送路により選択して切り換える。    【解決手段】映像の撮像機能、通話機能及び警報の発報機能が備えられている玄関子機１及び居室親機２の間を３線の伝送路Ｌ1、Ｌ2、Ｌ3により接続するにあたり、居室親機の親機電源回路２１０にて生成される子機電源の電圧レベルをＣＰＵ２１６の制御により変化させた警報信号が３線用警報制御回路２１２にて生成されると、この警報信号を検出した玄関子機の警報信号検出回路１１６の制御により戸外表示器１０９が駆動するとともに、ＣＰＵの制御により画面生成回路２０７にて生成された当該玄関子機からの呼出中であることの表示画面がモニタ２０５に出画される、或いは、玄関子機のカメラ１０１にて撮像される映像のモニタへの出画を停止させることができる。  【選択図】図２
2008187655.tif 000002
【特許請求の範囲】
【請求項１】
カメラ（１０１）及び戸外表示器（１０９）を有する玄関子機（１）と、前記玄関子機に接続され、前記玄関子機からの呼び出しに応答して通話を成立させ前記玄関子機のカメラにて撮像された映像を出画するためのモニタ（２０５）を有し、前記玄関子機の戸外表示器を駆動制御するための居室親機（２）とで構成され、
前記居室親機には、親機電源及び前記玄関子機の子機電源をそれぞれ生成するための親機電源回路（２１０）と、５線の伝送路（Ｌ1、Ｌ2、Ｌ3、Ｌ4、Ｌ5）により前記玄関子機及び当該居室親機の間が接続されているとき、前記玄関子機の戸外表示器を駆動制御するための警報信号を生成する５線用警報制御回路（２０９）と、３線の伝送路（Ｌ1、Ｌ2、Ｌ3）により前記玄関子機及び当該居室親機の間が接続されているとき、前記親機電源回路にて生成される前記子機電源の電圧値を変化させて前記玄関子機の戸外表示器を駆動制御するための警報信号を生成する３線用警報制御回路（２１２）と、操作部（２１５）の操作により前記５線の伝送路又は前記３線の伝送路を選択して前記玄関子機及び前記居室親機の間の接続を切り換え、前記５線の伝送路が選択されているときには前記５線用警報制御回路にて前記警報信号を生成させ、前記３線の伝送路が選択されているときには前記３線用警報制御回路にて前記警報信号を生成させるためのＣＰＵ（２１６）とを備え、
前記玄関子機には、前記３線の伝送路を経由して前記居室親機から伝送されてくる前記警報信号を受信して、前記戸外表示器を駆動制御するための警報信号検出回路（１１６）を備えたことを特徴とするテレビドアホン装置。
【請求項２】
前記居室親機には、前記モニタの表示画面を生成するための画面生成回路（２０７）を備え、
前記居室親機のＣＰＵは、前記警報信号の前記玄関子機への送信時に、前記カメラにて撮像される映像を前記モニタに出画することなく、前記玄関子機からの呼び出しがあったとき呼出中であることの表示画面を前記画面生成回路にて生成させ前記モニタに出画することを特徴とする請求項１記載のテレビドアホン装置。
【請求項３】
前記居室親機のＣＰＵは、前記警報信号の前記玄関子機への送信時に、前記カメラにて撮像される映像の前記モニタへの出画を停止することを特徴とする請求項１記載のテレビドアホン装置。
【発明の詳細な説明】
【技術分野】
【０００１】
本発明はテレビドアホン装置に係り、特に、住戸玄関に設置される玄関子機及び住戸内に設置される居室親機の間を接続する伝送路の態様を選択して切り換えることができるテレビドアホン装置に関する。
【背景技術】
【０００２】
従来から、住戸玄関に設置される玄関子機及び住戸内に設置される居室親機の間を接続するにあたり、この玄関子機に通話機能及び警報の発報機能が備えられている場合（ＱＦ−ＤＫ）には、３線の伝送路が適用されている（例えば、非特許文献１を参照。）。
【０００３】
【非特許文献１】アイホン総合カタログ２００５／２００６年版（例えば、第６１頁に記載のセキュリティドアホン「ＱＦ−ＤＫ、ＱＥ−１Ｍ−Ｔ及び増設非常押ボタンの組み合わせ」、「ＱＦ−ＤＫ、ＱＥ−１ＧＴ−１１、ガス漏れ警報器及び増設非常押ボタンの組み合わせ」等）
【発明の開示】
【発明が解決しようとする課題】
【０００４】
しかしながら、背景技術に記載した非特許文献１のように、住戸玄関に設置される玄関子機及び住戸内に設置される居室親機の間が３線の伝送路により予め接続されている場合において、映像の撮像機能が不備で通話機能及び警報の発報機能が備えられている玄関子機を、映像の撮像機能、通話機能及び警報の発報機能が備えられている玄関子機に交換（リニューアル）することはできなかった。
【０００５】
本発明は、前述の難点を解消するためになされたもので、映像の撮像機能、通話機能及び警報の発報機能が備えられている玄関子機及び居室親機の間の接続を、５線の伝送路又は３線の伝送路により選択して切り換えることができるテレビドアホン装置を提供することを目的としている。
【課題を解決するための手段】
【０００６】
前述の目的を達成するため、本発明の第１の態様であるテレビドアホン装置は、カメラ及び戸外表示器を有する玄関子機と、玄関子機に接続され、玄関子機からの呼び出しに応答して通話を成立させ玄関子機のカメラにて撮像された映像を出画するためのモニタを有し、玄関子機の戸外表示器を駆動制御するための居室親機とで構成されている。居室親機には、親機電源及び玄関子機の子機電源をそれぞれ生成するための親機電源回路と、５線の伝送路により玄関子機及び当該居室親機の間が接続されているとき、玄関子機の戸外表示器を駆動制御するための警報信号を生成する５線用警報制御回路と、３線の伝送路により玄関子機及び当該居室親機の間が接続されているとき、親機電源回路にて生成される子機電源の電圧値を変化させて玄関子機の戸外表示器を駆動制御するための警報信号を生成する３線用警報制御回路と、操作部の操作により５線の伝送路又は３線の伝送路を選択して玄関子機及び居室親機の間の接続を切り換え、５線の伝送路が選択されているときには５線用警報制御回路にて警報信号を生成させ、３線の伝送路が選択されているときには３線用警報制御回路にて警報信号を生成させるためのＣＰＵとを備えている。玄関子機には、３線の伝送路を経由して居室親機から伝送されてくる警報信号を受信して、戸外表示器を駆動制御するための警報信号検出回路を備えている。
【０００７】
また、本発明の第２の態様であるテレビドアホン装置は、本発明の第１の態様において、居室親機には、モニタの表示画面を生成するための画面生成回路を備えている。居室親機のＣＰＵは、警報信号の玄関子機への送信時に、カメラにて撮像される映像をモニタに出画することなく、玄関子機からの呼出中であることの表示画面を画面生成回路にて生成させモニタに出画するものである。
【０００８】
また、本発明の第３の態様であるテレビドアホン装置は、本発明の第１の態様において、居室親機のＣＰＵは、警報信号の玄関子機への送信時に、カメラにて撮像される映像のモニタへの出画を停止するものである。
【発明の効果】
【０００９】
本発明のテレビドアホン装置によれば、映像の撮像機能、通話機能及び警報の発報機能が備えられている玄関子機及び居室親機の間を５線の伝送路により接続することができ、ＣＰＵの制御により５線用警報制御回路にて警報信号が生成されると、この警報信号を受信した玄関子機の戸外表示器が駆動するとともに、ＣＰＵの制御により画面生成回路にて生成された当該玄関子機からの呼出中であることの表示画面がモニタに出画される、或いは、玄関子機のカメラにて撮像される映像のモニタへの出画を停止させることができる。
【００１０】
また、本発明のテレビドアホン装置によれば、映像の撮像機能、通話機能及び警報の発報機能が備えられている玄関子機及び居室親機の間を３線の伝送路により接続することができ、親機電源回路にて生成される子機電源の電圧レベルをＣＰＵの制御により変化させた警報信号が３線用警報制御回路にて生成されると、この警報信号を検出した玄関子機の警報信号検出回路の制御により戸外表示器が駆動するとともに、ＣＰＵの制御により画面生成回路にて生成された当該玄関子機からの呼出中であることの表示画面がモニタに出画される、或いは、玄関子機のカメラにて撮像される映像のモニタへの出画を停止させることができる。
【００１１】
これにより、映像の撮像機能、通話機能及び警報の発報機能が備えられている玄関子機及び居室親機の間の接続を、５線の伝送路又は３線の伝送路により選択切り換えることができるため、映像の撮像機能が不備で通話機能及び警報の発報機能が備えられている玄関子機から映像の撮像機能、通話機能及び警報の発報機能が備えられている玄関子機への交換（リニューアル）が容易となり施工性が高められる。
【００１２】
また、居室親機から玄関子機に供給される子機電源の電圧値を変化させた３線用警報制御信号をもとに、玄関子機の戸外表示器を駆動することができることから、居室親機から玄関子機に送出される３線用警報制御信号の変調処理が不要となり、その変調処理に必要とされる回路も不要となるため回路構成を簡素化できる。
【００１３】
さらに、玄関子機においても、居室親機から供給されてくる直流電圧には、３線用警報制御信号を変調処理した変調信号が重畳されることはなく、この変調信号の復調処理が不要となることから、当顔玄関子機の回路構成を簡素化でき、ゆえに、当該装置全体のコストが低減される。
【発明を実施するための最良の形態】
【００１４】
以下、本発明のテレビドアホン装置を適用した最良の実施の形態例について、図面を参照して説明する。
【００１５】
図１は、本発明の実施例によるテレビドアホン装置の第１の態様の回路構成を示すブロック図であり、図２は、本発明の実施例によるテレビドアホン装置の第２の態様の回路構成を示すブロック図である。ここで、図１に示すテレビドアホン装置は、玄関に設置される玄関子機１及び住戸内に設置される居室親機２の間が５線の伝送路Ｌa（Ｌ1、Ｌ2、Ｌ3、Ｌ4、Ｌ5）により接続されている。一方、図２に示すテレビドアホン装置は、玄関に設置される玄関子機１及び住戸内に設置される居室親機２の間が３線の伝送路Ｌb（Ｌ1、Ｌ2、Ｌ3）により接続されている。
【００１６】
なお、玄関子機１及び居室親機２の間を接続するにあたり、５線の伝送路Ｌa及び３線の伝送路Ｌbを構成する呼出・通話ラインＬ1、２線の電源・映像ラインＬ2、Ｌ3は、共通の当該伝送路である。また、５線の伝送路Ｌaは、前述の呼出・通話ラインＬ1、２線の電源・映像ラインＬ2、Ｌ3の他に、警報制御ラインＬ4及びアースラインＬ5により構成されている。
【００１７】
玄関子機１には、呼出ボタン１００、カメラ１０１、映像信号生成回路１０２、映像変調回路１０３、低周波数帯域通過回路（以下、ＬＰＦという。）１０４、映像不平衡・平衡変換回路１０５、子機マイク１０６、子機スピーカ１０７、子機通話回路１０８、戸外表示器１０９、２つの子機インピーダンス制御回路（以下、第１、第２の各子機インピーダンス制御回路という。）１１０、１１１、整流ダイオード１１２、子機電源回路１１３、映像撮像電源検出回路１１４、カメラ検出負荷回路１１５、警報信号検出回路１１６、及び５個のライン端子Ｐ1a、Ｐ1b、Ｐ1c、Ｐ1d、Ｐ1eが備えられている。
【００１８】
この玄関子機１において、呼出ボタン１００は、玄関に居る人物、例えば、来訪者が住戸内に在室中の居住者を呼び出すために操作するものであり、ライン端子Ｐ1aを経由して呼出・通話ラインＬ1に接続されている。
【００１９】
カメラ１０１は、呼出操作を行った来訪者の映像（玄関の周囲近傍の映像を含む。）を撮像するためのものであり、例えば、ＣＣＤ、ＣＭＯＳ等の各種の撮像媒体が好適とされる。また、映像信号生成回路１０２は、カメラ１０１にて撮像された映像を信号処理して電気信号の映像信号を生成するためのものである。また、映像変調回路１０３は、映像信号生成回路１０２にて生成された映像信号をＦＭ変調するためのものである。また、ＬＰＦ１０４は、映像変調回路１０３にてＦＭ変調された映像信号の低周波数帯域のみを通過させるためのものである。さらに、映像不平衡・平衡変換回路１０５は、ＬＰＦ１０４を経由した映像信号について、当該映像信号が伝送される２線の電源・映像ラインＬ2、Ｌ3との間の平衡をとるために不平衡・平衡変換するものであり、ライン端子Ｐ1bを経由して電源・映像ラインＬ2と、ライン端子Ｐ1cを経由して電源・映像ラインＬ3とにそれぞれ接続されている。
【００２０】
子機マイク１０６及び子機スピーカ１０７は、来訪者が居住者との間で通話を成立させるための音声（送話音声、受話音声）を入出力するものである。また、子機通話回路１０８は、子機マイク１０６及び子機スピーカ１０７にて入出力される音声である電気信号の音声信号について４線／２線変換、２線／４線変換、増幅等、所定の信号処理を行うためのものであり、ライン端子Ｐ1aを経由して呼出・通話ラインＬ1に接続されている。なお、子機スピーカ１０７は、前述の通話機能の他に、後述する警報音や音声メッセージ等を鳴動するための警報発報機能が備えられており、ライン端子Ｐ1aを経由して呼出・通話ラインＬ1に接続されている。
【００２１】
戸外表示器１０９は、玄関の周囲近傍に居る不審者、例えば、泥棒等を威嚇する、又は住戸内にて発生したセキュリティ異常を発報するために駆動、ここでは、点滅されるものであり、ライン端子Ｐ1dを経由して警報制御ラインＬ4と、警報信号検出回路１１６とにそれぞれ接続されている。
【００２２】
第１、第２の各子機インピーダンス制御回路１１０、１１１はそれぞれ、ライン端子Ｐ1b、Ｐ1cに接続された電源・映像ラインＬ2、Ｌ3への交流電圧・信号の送出を遮断するためにインピーダンス値を制御するものである。また、第１の子機インピーダンス制御回路１１０は、前述の機能の他に、ライン端子Ｐ1bに接続された電源・映像ラインＬ2を経由して居室親機２から供給・伝送されてくる子機電源や警報信号のインピーダンスを上昇させて整流ダイオード１１２に送出することができる。なお、第２の子機インピーダンス制御回路１１１は、ライン端子Ｐ1eを経由してアースラインＬ5に接続されているとともに、アース接地されている。
【００２３】
整流ダイオード１１２は、第１の子機インピーダンス制御回路１１０から子機電源回路１１３、映像撮像電源検出回路１１４、カメラ検出負荷回路１１５、及び警報信号検出回路１１６への各電源供給路・信号伝送路をそれぞれ形成するためのものである。
【００２４】
子機電源回路１１３は、整流ダイオード１１２を経由して供給されてくる居室親機２からの子機電源を受電し、当該玄関子機の構成各部／回路にそれぞれ供給するためのものである。また、映像撮像電源検出回路１１４は、整流ダイオード１１２を経由して供給されてくる居室親機２からの子機電源の電圧レベルをもとに、この子機電源が待受電源であるのか映像撮像用の動作電源であるのかを検出するためのものであり、子機電源回路１１３に接続されている。また、カメラ検出負荷回路１１５は、ライン端子Ｐ1aに印加される子機電源の電圧レベルを検出するためのものである。さらに、警報信号検出回路１１６は、整流ダイオード１１２を経由して伝送されてくる居室親機２からの警報信号を検出し、戸外表示器１０９を点滅させるためのものである。
【００２５】
また、居室親機２には、呼出検出回路２００、親機マイク２０１、親機スピーカ２０２、親機通話回路２０３、呼出・通話切替回路２０４、モニタ２０５、映像復調回路２０６、画面生成回路２０７、出画内容切替回路２０８、５線用警報制御回路２０９、親機電源回路２１０、カメラ検出回路２１１、３線用警報制御回路２１２、２つの親機インピーダンス制御回路（以下、第１、第２の各親機インピーダンス制御回路という。）２１３、２１４、操作部２１５、ＣＰＵ２１６、及び５個のライン端子Ｐ2a、Ｐ2b、Ｐ2c、Ｐ2d、Ｐ2eが備えられている。
【００２６】
この居室親機２において、呼出検出回路２００は、来訪者による玄関子機１の呼出ボタン１００の操作の有無を検出するためのものであり、呼出・通話切替回路２０４、ライン端子Ｐ2aを経由して呼出・通話ラインＬ1と、ＣＰＵ２１６とにそれぞれ接続されている。
【００２７】
親機マイク２０１及び親機スピーカ２０２は、居住者が来訪者との間で通話を成立させるための音声（送話音声、受話音声）を入出力するものである。また、親機通話回路２０３は、ＣＰＵ２１６により制御され、親機マイク２０１及び親機スピーカ２０２にて入出力される音声である電気信号の音声信号について４線／２線変換、２線／４線変換、増幅等、所定の信号処理を行うためのものであり、呼出・通話切替回路２０４、ライン端子Ｐ2aを経由して呼出・通話ラインＬ1と、ＣＰＵ２１６とにそれぞれ接続されている。なお、親機スピーカ２０２は、前述の通話機能の他に、ＣＰＵ２１６の制御により、来訪者からの呼び出しがあることの呼出音や音声メッセージ、住戸内にてセキュリティ異常が発生したことの警報音や音声メッセージ等を放音・鳴動することができる。
【００２８】
呼出・通話切替回路２０４は、ＣＰＵ２１６の制御により切り替えられ、呼出・通話ラインＬ1からライン端子Ｐ2aを経由して呼出検出回路２００への信号伝送路、又は、呼出・通話ラインＬ1及びライン端子Ｐ2aを経由して親機通話回路２０３の間の信号伝送路（通話路）を形成するためのものである。なお、当該テレビドアホン装置が待受状態、すなわち、来訪者により玄関子機１の呼出ボタン１００が操作されておらず通話も成立していない状態において、この呼出・通話切替回路２０４は、呼出・通話ラインＬ1がライン端子Ｐ2aを経由して呼出検出回路２００に接続されるように切り替えられている。
【００２９】
モニタ２０５は、ＣＰＵ２１６の制御により出画状態に制御され、玄関子機１のカメラ１０１にて撮像された映像、或いは、玄関子機１からの呼出中であることの表示画面を出画するためのものであり、例えば、ＬＣＤ、ＰＤＰ、有機ＥＬディスプレイ等の各種の表示媒体が好適とされる。また、映像復調回路２０６は、ＣＰＵ２１６により制御され、２線の電源・映像ラインＬ2、Ｌ3、ライン端子Ｐ2b、Ｐ2cをそれぞれ経由して伝送されてくる玄関子機１からの映像信号をＦＭ復調するためのものである。さらに、画面生成回路２０７は、ＣＰＵ２１６により制御され、モニタ２０５に出画させる玄関子機１からの呼出中であることの表示画面を生成するためのものである。なお、モニタ２０５は、前述の出画機能能の他に、ＣＰＵ２１６の制御により、来訪者からの呼び出しがあることの呼出メッセージや絵データ、住戸内にてセキュリティ異常が発生したことの警報メッセージや絵データ等を表示することができる。
【００３０】
出画内容切替回路２０８は、ＣＰＵ２１６の制御により切り替えられ、映像復調回路２０６からモニタ２０５への信号伝送路、又は、画面生成回路２０７からモニタ２０５への信号伝送路を形成するためのものである。なお、当該テレビドアホン装置が待受状態、すなわち、来訪者により玄関子機１の呼出ボタン１００が操作されておらず通話も成立していない状態において、この出画内容切替回路２０８は、映像復調回路２０６がモニタ２０５に接続されるように切り替えられている。
【００３１】
５線用警報制御回路２０９は、ＣＰＵ２１６により制御され、玄関子機１の戸外表示器１０９を点滅させるための警報信号を生成するものであり、ライン端子Ｐ2dを経由して警報制御ラインＬ4に接続されている。
【００３２】
親機電源回路２１０は、ＣＰＵ２１６により制御され、商用電源について整流・平滑させた居室親機２の親機電源を生成し、当該居室親機の構成各部／回路にそれぞれ供給するとともに、所定の電圧レベルの子機電源を生成するためのものであり、カメラ検出回路２１１及び３線用警報制御回路２１２にそれぞれ接続されている。また、カメラ検出回路２１１は、ＣＰＵ２１６により制御され、親機電源回路２１０にて生成される所定の電圧レベルの子機電源を高インピーダンスで玄関子機１に供給し、当該玄関子機に映像撮像機能（１０１、１０２、１０３、１０４、１０５）が備えられているか否かを検出するためのものであり、第１の親機インピーダンス制御回路２１３に接続されている。さらに、３線用警報制御回路２１２は、ＣＰＵ２１６により制御され、親機電源回路２１０にて生成される子機電源の電圧値を変換させ、玄関子機１の戸外表示器１０９を点滅させるための警報信号を生成するものであり、第１の親機インピーダンス制御回路２１３に接続されている。
【００３３】
第１、第２の各親機インピーダンス制御回路２１３、２１４はそれぞれ、ライン端子Ｐ2b、Ｐ2cに接続された電源・映像ラインＬ2、Ｌ3を経由して玄関子機１から伝送されてくる映像信号のインピーダンスを上昇させて映像復調回路２０６に送出するとともに、電源・映像ラインＬ2、Ｌ3への交流電圧・信号の送出を遮断するためにインピーダンス値を制御するものである。また、第１の親機インピーダンス制御回路２１３は、前述の機能の他に、カメラ検出回路２１１及び３線用警報制御回路２１２からそれぞれ供給・伝送されてくる子機電源や警報信号のインピーダンスを上昇させて電源・映像ラインＬ2に送出することができる。なお、第２の親機インピーダンス制御回路２１４は、ライン端子Ｐ2eを経由してアースラインＬ5に接続されているとともに、アース接地されている。
【００３４】
操作部２１５は、来訪者からの呼び出しがあることを確認した居住者が当該来訪者との間で通話を成立させるための操作（応答操作）、玄関子機１の戸外表示器１０９を点滅させるための操作、玄関子機１及び居室親機２の間の接続の態様について前述の５線の伝送路Ｌa（Ｌ1、Ｌ2、Ｌ3、Ｌ4、Ｌ5）による接続及び３線の伝送路Ｌb（Ｌ1、Ｌ2、Ｌ3）による接続の何れかに設定するための操作等が行われるものであり、これらの操作は、ＣＰＵ２１６にて検出される。また、ＣＰＵ２１６は、当該居室親機の構成各部／回路をそれぞれ、前述のように制御するためのものである。
【００３５】
このように構成された本発明の実施例によるテレビドアホン装置において、以下、具体的な動作について説明する。最初に、本発明の実施例によるテレビドアホン装置の第１の態様のように、玄関子機１及び居室親機２の間が５線の伝送路Ｌa（Ｌ1、Ｌ2、Ｌ3、Ｌ4、Ｌ5）により接続されている場合の動作について、図１を参照して説明する。
【００３６】
図１に示す玄関子機１及び居室親機２の間を５線の伝送路Ｌa（Ｌ1、Ｌ2、Ｌ3、Ｌ4、Ｌ5）により接続する場合で当該テレビドアホン装置が待受状態、すなわち、来訪者により玄関子機１の呼出ボタン１００が操作されておらず通話も成立していない状態において、施工業者や住戸内に在室中の居住者等は、居室親機２の操作部２１５を使用して５線接続用の設定操作を行う。この操作を検出したＣＰＵ２１６は、カメラ検出回路２１１を能動にするとともに、親機電源回路２１０を制御して、玄関子機１の映像撮像機能（１０１、１０２、１０３、１０４、１０５）を能動にするための例えば、ＤＣ１２Ｖの子機電源を生成させる。この１２Ｖの子機電源は、例えば、約３．３ｋΩの高インピーダンスで、第１の親機インピーダンス制御回路２１３、ライン端子Ｐ2b、電源・映像ラインＬ2を経由して玄関子機１のライン端子Ｐ1bに印加される。
【００３７】
ここで、玄関子機１のカメラ検出負荷回路１１５は、当該玄関子機が図示のように映像撮像機能（１０１、１０２、１０３、１０４、１０５）が備えられているため、（整流ダイオード１１２、第１の子機インピーダンス制御回路１１０を経由して、）ライン端子Ｐ1bに印加された子機電源の電圧レベルが、電源・映像ラインＬ2が有する例えば、約３．３ｋΩ〜３３０Ωのインピーダンスの影響を受けてＤＣ１２Ｖよりも低いＤＣ３Ｖ以下であることを検出するとともに、このＤＣ３Ｖ以下の子機電源は、居室親機２のカメラ検出回路２１１においても検出される。
【００３８】
居室親機２のカメラ検出回路２１１は、検出されたＤＣ３Ｖ以下の子機電源をもとに、玄関子機１に映像撮像機能（１０１、１０２、１０３、１０４、１０５）が備えられていることを検出し、その旨の検出信号を生成してＣＰＵ２１６に送出する。この検出信号を受信したＣＰＵ２１６は、当該居室親機に５線の伝送路Ｌa（Ｌ1、Ｌ2、Ｌ3、Ｌ4、Ｌ5）により接続されている玄関子機１に映像撮像機能（１０１、１０２、１０３、１０４、１０５）が備えられていることを検出し、その旨を、５線接続の態様と併せて記憶する。
【００３９】
次に、玄関子機１及び居室親機２の間が５線の伝送路Ｌa（Ｌ1、Ｌ2、Ｌ3、Ｌ4、Ｌ5）により接続されている場合において、玄関に居る来訪者が住戸内に在室中の居住者を呼び出して通話を成立させる動作について説明する。
【００４０】
前述のような待受状態のとき、来訪者が居住者を呼び出すために玄関子機１の呼出ボタン１００を操作すると、この呼出ボタン１００からライン端子Ｐ1a、呼出・通話ラインＬ1、居室親機２のライン端子Ｐ2a、呼出・通話切替回路２０４を経由して呼出検出回路２００に呼出信号が伝送される。
【００４１】
居室親機２の呼出検出回路２００は、玄関子機１からの呼出信号を受信すると、来訪者による呼び出しがあったことを検出し、その旨の呼出検出信号を生成してＣＰＵ２１６に送出する。この呼出検出信号を受信したＣＰＵ２１６は、カメラ検出回路２１１の動作を停止させるとともに、親機電源回路２１０を制御して、当該居室親機の構成各部／回路が動作可能な所定の電圧レベルの親機電源及び玄関子機１の映像撮像機能（１０１、１０２、１０３、１０４、１０５）を能動にするための例えば、ＤＣ１２Ｖの子機電源をそれぞれ生成させる。この１２Ｖの子機電源は、例えば、約０Ωの低インピーダンスで、第１の親機インピーダンス制御回路２１３、ライン端子Ｐ2b、電源・映像ラインＬ2を経由して玄関子機１のライン端子Ｐ1bに印加される。
【００４２】
ここで、玄関子機１のカメラ検出負荷回路１１５は、（整流ダイオード１１２、第１の子機インピーダンス制御回路１１０を経由して、）ライン端子Ｐ1bに印加された子機電源の電圧レベルが、電源・映像ラインＬ2が有するインピーダンスの影響を何ら受けずにＤＣ１２Ｖであると検出する。このＤＣ１２Ｖの子機電源を検出した映像撮像電源検出回路１１４は、子機電源回路１１３は駆動して例えば、ＤＣ１２ＶからＤＣ５Ｖに降圧された電圧レベルの子機電源を生成させ、このＤＣ５Ｖの子機電源によって当該玄関子機の映像撮像機能（１０１、１０２、１０３、１０４、１０５）が能動となる。
【００４３】
また、居室親機２において、呼出検出回路２００からの呼出検出信号を受信したＣＰＵ２１６は、来訪者からの呼び出しがあることの呼出音や音声メッセージ等を生成して親機スピーカ２０２から放音させるとともに、モニタ２０５を出画可能な状態に制御することができる。
【００４４】
この後、玄関子機１の子機電源回路１１３からのＤＣ５Ｖの子機電源が動作電源となり能動にされたカメラ１０１は、呼出操作を行った来訪者の映像（玄関の周囲近傍の映像を含む。）の撮像を開始する。この映像は、映像信号生成回路１０２を経由して電気信号の映像信号に信号処理される。また、映像変調回路１０３は、映像信号生成回路１０２にて生成された映像信号をＦＭ変調した後、ＬＰＦ１０４に送出する。また、ＬＰＦ１０４は、映像変調回路１０３を経由した映像信号の低周波数帯域のみを通過させ、映像不平衡・平衡変換回路１０５は、ＬＰＦ１０４を経由した映像信号を不平衡・平衡変換する。さらに、映像不平衡・平衡変換回路１０５にて不平衡・平衡変換された平衡映像信号は、ライン端子Ｐ1b、Ｐ1c、２線の電源・映像ラインＬ2、Ｌ3、居室親機２のライン端子Ｐ2b、Ｐ2cを経由して第１、第２の親機インピーダンス制御回路２１３、２１４に伝送され、当該親機インピーダンス制御回路の制御によりインピーダンス値が上昇された後、映像復調回路２０６にて受信される。
【００４５】
居室親機２の映像復調回路２０６は、玄関子機１からの平衡映像信号をＦＭ復調し、出画内容切替回路２０８を経由してモニタ２０５に送出することにより、玄関子機１のカメラ１０１にて撮像された映像、すなわち、呼出操作を行った来訪者の映像（玄関の周囲近傍の映像を含む。）を、モニタ２０５に出画させることができる。なお、モニタ２０５には、ＣＰＵ２１６の制御により、来訪者からの呼び出しがある旨の呼出メッセージや絵データ等を併せて表示させることもできる。
【００４６】
次に、前述の呼出報知及び映像の出画をもとに、呼出操作を行った来訪者が泥棒等の不審者であると確認した居住者は、居室親機２の操作部２１５を使用して玄関子機１の戸外表示器１０９を点滅させるための操作を行うことができる。この操作を検出したＣＰＵ２１６は、５線用警報制御回路２０９が能動となるように制御するとともに、出画内容切替回路２０８を制御して、映像復調回路２０６からモニタ２０５への信号伝送路を、画面生成回路２０７からモニタ２０５への信号伝送路に切り替え、さらには、画面生成回路２０７にて玄関子機１からの呼出中であることの表示画面を生成させてモニタ２０５に出画する。この制御により、５線用警報制御回路２０９は、警報信号（以下、５線用警報信号という。）を生成し、ライン端子Ｐ2d、警報制御ラインＬ4、玄関子機１のライン端子Ｐ1dを経由して戸外表示器１０９に送出する。
【００４７】
玄関子機１の戸外表示器１０９は、居室親機２の５線用警報制御回路２０９からの５線用警報信号を受信すると点滅し、泥棒等の不審者に対して威嚇することができ防犯性が高められる。
【００４８】
なお、前述までの説明では、居室親機２の操作部２１５を使用して玄関子機１の戸外表示器１０９を点滅させるための操作が行われたとき、ＣＰＵ２１６によるモニタ２０５への制御として、画面生成回路２０７にて生成された玄関子機１からの呼出中であることの表示画面を出画させたが、この制御に限定されるものではない。例えば、玄関子機１のカメラ１０１にて撮像される映像のモニタ２０５への出画を停止させることもできる。
【００４９】
また、前述までの説明では、居室親機２の操作部２１５を使用して玄関子機１の戸外表示器１０９を点滅させるための操作が行われたときの警報発報として、玄関子機１の戸外表示器１０９を点滅させる態様について説明したが、この態様に限定されるものではない。例えば、ＣＰＵ２１６にて生成される警報音信号を、呼出・通話切替回路２０４、ライン端子Ｐ2a、呼出・通話ラインＬ1、玄関子機１のライン端子Ｐ1aを経由して子機スピーカ１０７に送出することにより、警報音や音声メッセージ等を子機スピーカ１０７から鳴動させ泥棒等の不審者に対して威嚇することもできる。
【００５０】
次に、前述の呼出報知及び映像の出画をもとに、来訪者からの呼び出しがあることを当該来訪者の識別と併せて確認できた居住者は、居室親機２の操作部２１５を使用して当該呼び出しに応答するための操作を行うことができる。この操作を検出したＣＰＵ２１６は、呼出・通話切替回路２０４を制御して、呼出・通話ラインＬ1からライン端子Ｐ2aを経由して呼出検出回路２００への接続を、ライン端子Ｐ2aを経由して呼出・通話ラインＬ1及び親機通話回路２０３の間の接続に切り替えるとともに、親機通話回路２０３が能動となるように制御する。この制御により、居住者が使用する親機マイク２０１から親機通話回路２０３、呼出・通話切替回路２０４、ライン端子Ｐ2a、呼出・通話ラインＬ1、玄関子機１のライン端子Ｐ1a、子機通話回路１０８を経由して来訪者が使用する子機スピーカ１０７までの信号伝送路（下り通話路）と、来訪者が使用する当該玄関子機の子機マイク１０６から子機通話回路１０８、ライン端子Ｐ1ａ、呼出・通話ラインＬ1、当該居室親機のライン端子Ｐ2a、呼出・通話切替回路２０４、親機通話回路２０３を経由して居住者が使用する親機スピーカ２０２までの信号伝送路（上り通話路）とがそれぞれ形成され、形成された各信号路（通話路）を経由して音声信号を送受信させることで通話が成立し、居住者にとっては、モニタ２０５に出画されている来訪者の映像を確認しながら通話を成立させることができる。
【００５１】
次に、前述の呼出（呼出報知）時や通話の成立時において、住戸内にてセキュリティ異常が発生すると、これを検出した居室親機２のＣＰＵ２１６は、親機スピーカ２０２から警報音や音声メッセージ等を鳴動させ、モニタ２０５に警報メッセージや絵データ等を表示させて警報発報を行うとともに、５線用警報制御回路２０９が能動となるように制御し、また、出画内容切替回路２０８を制御して、映像復調回路２０６からモニタ２０５への信号伝送路を、画面生成回路２０７からモニタ２０５への信号伝送路に切り替え、さらには、画面生成回路２０７にて玄関子機１からの呼出中であることの表示画面を生成させてモニタ２０５に出画する。この制御により、前述の泥棒等の不審者に対して威嚇する場合の該当動作と同様、玄関子機１の戸外表示器１０９は、居室親機２の５線用警報制御回路２０９からの５線用警報信号を受信して点滅され、住戸内にてセキュリティ異常が発生したことの警報発報を行うことができる。また、居室親機２のモニタ２０５には、玄関子機１のカメラ１０１にて撮像される映像ではなく、画面生成回路２０７にて生成された玄関子機１からの呼出中であることの表示画面が出画されることにより、住戸内にてセキュリティ異常が発生したことの警報発報を行うことができる。
【００５２】
なお、前述までの説明では、住戸内にてセキュリティ異常が発生したとき、居室親機２のＣＰＵ２１６によるモニタ２０５への制御として、画面生成回路２０７にて生成された玄関子機１からの呼出中であることの表示画面を出画させたが、この制御に限定されるものではない。例えば、玄関子機１のカメラ１０１にて撮像される映像のモニタ２０５への出画を停止させることもできる。
【００５３】
また、前述までの説明では、住戸内にてセキュリティ異常が発生したときの警報発報として、玄関子機１の戸外表示器１０９を点滅させる、居室親機２の親機スピーカ２０２から警報音や音声メッセージ等を鳴動させる、及び警報メッセージや絵データ等をモニタ２０５に表示させる態様について説明したが、この態様に限定されるものではない。例えば、ＣＰＵ２１６にて生成される警報音信号を、呼出・通話切替回路２０４、ライン端子Ｐ2a、呼出・通話ラインＬ1、玄関子機１のライン端子Ｐ1aを経由して子機スピーカ１０７に送出することにより、警報音や音声メッセージ等を子機スピーカ１０７から鳴動させ、住戸内にてセキュリティ異常が発生したことの警報発報を行うこともできる。
【００５４】
次に、当該テレビドアホン装置が前述のような待受状態であるとき、住戸内にてセキュリティ異常が発生すると、これを検出した居室親機２のＣＰＵ２１６は、親機スピーカ２０２から警報音や音声メッセージ等を鳴動させ、モニタ２０５に警報メッセージや絵データ等を表示させて警報発報を行うとともに、５線用警報制御回路２０９が能動となるように制御する。この制御により、前述の泥棒等の不審者に対して威嚇する場合の該当動作と同様、玄関子機１の戸外表示器１０９は、居室親機２の５線用警報制御回路２０９からの５線用警報信号を受信して点滅され、住戸内にてセキュリティ異常が発生したことの警報発報を行うことができる。
【００５５】
なお、前述までの説明から明らかなように、本発明の第１の態様における映像撮像・出画のためのアース接地、通話成立のためのアース接地、及び警報発報のためのアース接地はそれぞれ共通で、玄関子機１のライン端子Ｐ1c、Ｐ1dである。
【００５６】
次に、本発明の実施例によるテレビドアホン装置の第２の態様のように、玄関子機１及び居室親機２の間が３線の伝送路Ｌb（Ｌ1、Ｌ2、Ｌ3）により接続されている場合の動作について、図２を参照して説明する。
【００５７】
なお、図２に示す玄関子機１及び居室親機２の間が３線の伝送路Ｌb（Ｌ1、Ｌ2、Ｌ3）により接続する場合で当該テレビドアホン装置が待受状態、すなわち、来訪者により玄関子機１の呼出ボタン１００が操作されておらず通話も成立していない状態において、施工業者や住戸内に在室中の居住者等が居室親機２の操作部２１５を使用して３線接続用の設定操作を行った際の該当動作、すなわち、居室親機２に３線の伝送路Ｌb（Ｌ1、Ｌ2、Ｌ3）を経由して接続されている玄関子機１に映像撮像機能（１０１、１０２、１０３、１０４、１０４、１０５）が備えられていることをＣＰＵ２１６が検出し、その旨を、３線接続の態様と併せて記憶する動作と、玄関子機１及び居室親機２の間が３線の伝送路Ｌb（Ｌ1、Ｌ2、Ｌ3）により接続されている場合において、玄関に居る来訪者が住戸内に在室中の居住者を呼び出して通話を成立させる動作とはそれぞれ、前述の第１の態様における該当動作と同様であるため、その説明は省略する。
【００５８】
前述の第１の態様における該当動作と同様な呼出報知及び映像の出画をもとに、呼出操作を行った来訪者が泥棒等の不審者であると確認した居住者は、居室親機２の操作部２１５を使用して玄関子機１の戸外表示器１０９を点滅させるための操作を行うことができる。この操作を検出したＣＰＵ２１６は、３線用警報制御回路２１２が能動となるように制御するとともに、出画内容切替回路２０８を制御して、映像復調回路２０６からモニタ２０５への信号伝送路を、画面生成回路２０７からモニタ２０５への信号伝送路に切り替え、さらには、画面生成回路２０７にて玄関子機１からの呼出中であることの表示画面を生成させてモニタ２０５に出画する。この制御により、３線用警報制御回路２１２は、親機電源回路２１０にて生成される例えば、ＤＣ１２Ｖの子機電源の電圧値を変化、例えば、ＤＣ６．５Ｖに変化させた警報信号（以下、３線用警報信号という。）を生成する。この３線用警報信号は、第１の親機インピーダンス制御回路２１３、ライン端子Ｐ2b、電源・映像ラインＬ2、玄関子機１のライン端子Ｐ1b、第１の子機インピーダンス制御回路１１０、整流ダイオード１１２を経由して警報信号検出回路１１６に伝送される。
【００５９】
玄関子機１の警報信号検出回路１１６は、居室親機２の３線用警報制御回路２１２からの３線用警報信号を受信すると戸外表示器１０９を点滅させることにより、泥棒等の不審者に対して威嚇することができ防犯性が高められる一方、子機電源回路１１３は、第１の３線用警報信号の電圧レベルであるＤＣ６．５Ｖが映像撮像機能（１０１、１０２、１０３、１０４、１０５）を能動にするための十分な電圧レベルでなく、居住者にとって視認性の高い映像をモニタ２０５に出画させることができない虞がある。
【００６０】
そこで、居室親機２のモニタ２０５には、前述のＣＰＵ２１６の制御により、玄関子機１のカメラ１０１にて撮像される映像ではなく、画面生成回路２０７にて生成された玄関子機１からの呼出中であることの表示画面が出画されることにより、居住者に不快感を与えることはない。
【００６１】
なお、前述までの説明では、居室親機２の操作部２１５を使用して玄関子機１の戸外表示器１０９を点滅させるための操作が行われたとき、ＣＰＵ２１６によるモニタ２０５への制御として、画面生成回路２０７にて生成された玄関子機１からの呼出中であることの表示画面を出画させたが、この制御に限定されるものではない。例えば、前述の第１の態様における該当動作と同様、モニタ２０５への映像の出画を停止させることもできる。
【００６２】
また、前述までの説明では、居室親機２の操作部２１５を使用して玄関子機１の戸外表示器１０９を点滅させるための操作が行われたときの警報発報として、玄関子機１の戸外表示器１０９を点滅させる態様について説明したが、この態様に限定されるものではない。例えば、前述の第１の態様における該当動作と同様、ＣＰＵ２１６にて生成される警報音信号を、呼出・通話切替回路２０４、ラインＬ2a、呼出・通話ラインＬ1、玄関子機１のライン端子Ｐ1aを経由して子機スピーカ１０７に送出することにより、警報音や音声メッセージ等を子機スピーカ１０７から鳴動させ泥棒等の不審者に対して威嚇することもできる。
【００６３】
次に、前述の第１の態様における該当動作と同様な前述の呼出（呼出報知）時や通話の成立時において、住戸内にてセキュリティ異常が発生すると、これを検出した居室親機２のＣＰＵ２１６は、親機スピーカ２０２から警報音や音声メッセージ等を鳴動させ、モニタ２０５に警報メッセージや絵データ等を表示させて警報発報を行うとともに、３線用警報制御回路２１２が能動となるように制御し、また、出画内容切替回路２０８を制御して、映像復調回路２０６からモニタ２０５への信号伝送路を、画面生成回路２０７からモニタ２０５への信号伝送路に切り替え、さらには、画面生成回路２０７にて玄関子機１からの呼出中であることの表示画面を生成させてモニタ２０５に出画する。この制御により、前述の泥棒等の不審者に対して威嚇する場合の該当動作と同様、玄関子機１の警報信号検出回路１１６は、居室親機２の３線用警報制御回路２１２からの３線用警報信号を受信すると戸外表示器１０９を点滅させ、住戸内にてセキュリティ異常が発生したことの警報発報を行うことができる。また、居室親機２のモニタ２０５には、玄関子機１のカメラ１０１にて撮像される映像ではなく、画面生成回路２０７にて生成された玄関子機１からの呼出中であることの表示画面が出画されることにより、居住者に不快感を与えることはない。
【００６４】
なお、前述までの説明では、住戸内にてセキュリティ異常が発生したとき、居室親機２のＣＰＵ２１６によるモニタ２０５への制御として、画面生成回路２０７にて生成された玄関子機１からの呼出中であることの表示画面を出画させたが、この制御に限定されるものではない。例えば、前述の第１の態様における該当動作と同様、モニタ２０５への映像の出画を停止させることもできる。
【００６５】
また、前述までの説明では、住戸内にてセキュリティ異常が発生したときの警報発報として、玄関子機１の戸外表示器１０９を点滅させる、居室親機２の親機スピーカ２０２から警報音や音声メッセージ等を鳴動させる、及び警報メッセージや絵データ等を表示させる態様について説明したが、この態様に限定されるものではない。例えば、前述の第１の態様における該当動作と同様、ＣＰＵ２１６にて生成される警報音信号を、呼出・通話切替回路２０４、ラインＬ2a、呼出・通話ラインＬ1、玄関子機１のライン端子Ｐ1aを経由して子機スピーカ１０７に送出することにより、警報音や音声メッセージ等を子機スピーカ１０７から鳴動させ、住戸内にてセキュリティ異常が発生したことの警報発報を行うこともできる。
【００６６】
次に、当該テレビドアホン装置が前述のような待受状態であるとき、住戸内にてセキュリティ異常が発生すると、これを検出した居室親機２のＣＰＵ２１６は、親機スピーカ２０２から警報音や音声メッセージ等を鳴動させ、モニタ２０５に警報メッセージや絵データ等を表示させて警報発報を行うとともに、３線用警報制御回路２１２が能動となるように制御する。この制御により、前述の泥棒等の不審者に対して威嚇する場合の該当動作と同様、玄関子機１の戸外表示器１０９は、居室親機２の３線用警報制御回路２１２からの３線用警報信号を受信して点滅され、住戸内にてセキュリティ異常が発生したことの警報発報を行うことができる。
【００６７】
なお、前述までの説明から明らかなように、本発明の第２の態様における映像撮像・出画のためのアース接地、通話成立のためのアース接地、及び警報発報のためのアース接地はそれぞれ共通で、玄関子機１のライン端子Ｐ1cである。
【００６８】
本発明のテレビドアホン装置においては、前述の第１、第２の各態様の説明から明らかなように、映像の撮像機能、通話機能及び警報の発報機能が備えられている玄関子機１及び居室親機２の間の接続を、５線の伝送路Ｌa（Ｌ1、Ｌ2、Ｌ3、Ｌ4、Ｌ5）又は３線の伝送路Ｌb（Ｌ1、Ｌ2、Ｌ3）により選択切り換えることができるため、映像の撮像機能が不備で通話機能及び警報の発報機能が備えられている当該玄関子機から映像の撮像機能、通話機能及び警報の発報機能が備えられている当該玄関子機への交換（リニューアル）が容易となり施工性が高められる。
【００６９】
また、本発明のテレビドアホン装置においては、特定の実施の形態をもって説明してきたが、この形態に限定されるものでなく、本発明の効果を奏する限り、これまで知られた如何なる構成のテレビドアホン装置であっても採用できるということはいうまでもないことである。
【図面の簡単な説明】
【００７０】
【図１】図１は、本発明の実施例によるテレビドアホン装置の第１の態様の回路構成を示すブロック図である。
【図２】図２は、本発明の実施例によるテレビドアホン装置の第２の態様の回路構成を示すブロック図である。
【符号の説明】
【００７１】
１……玄関子機
１０１……カメラ
１０９……戸外表示器
１１６……警報信号検出回路
２……居室親機
２０５……モニタ
２０７……画面生成回路
２０９……５線用警報制御回路
２１０……親機電源回路
２１２……３線用警報制御回路
２１６……ＣＰＵ
Ｌa（Ｌ1、Ｌ2、Ｌ3、Ｌ4、Ｌ5）……５線の伝送路
Ｌb（Ｌ1、Ｌ2、Ｌ3）……３線の伝送路
【図１】
2008187655.tif 000003
【図２】
2008187655.tif 000004